(57)【要約】【課題】安定的にラドンの放射を行うことを可能とし、さらに効率的なラドン浴を可能にしたラドン放射体またはラドン放射装置を提供することを目的としている。【解決手段】ラドン放射体は、全体長方形の板状に成形してなり、表面に多数の波形からなる凹凸条２を備えるようにして形成される。このラドン放射体１は、先ず下記（Ａ）ないし（Ｄ）の物質を混合して流動物を形成し、該流動物３を容器４から型材５に流し入れるようにして形成してなる。（Ａ）ラジウム含有鉱石を粒径１０ないし８０ミクロンのパウダー状に粉砕したラジウム鉱石粉砕物と、大理石を粒径１００ないし２００ミクロンのパウダー状に粉砕した大理石粉砕物と、を混合したラジウム鉱石含有粉体（Ｂ）炭酸カルシウムの粉体（Ｃ）アクリル樹脂の粉体（Ｄ）水【選択図】図１
2010259623.tif 000002
【特許請求の範囲】
【請求項１】
下記（Ａ）ないし（Ｄ）の物質を混合して液状の流動物を形成し、該流動物を型材に入れて乾燥させ、板状に成形してなるラドン放射体。
（Ａ）ラジウム含有鉱石を粒径１０ないし８０ミクロンのパウダー状に粉砕したラジウム鉱石粉砕物と、大理石を粒径１００ないし２００ミクロンのパウダー状に粉砕した大理石粉砕物と、を混合したラジウム鉱石含有粉体
（Ｂ）炭酸カルシウムの粉体
（Ｃ）アクリル樹脂の粉体
（Ｄ）水
【請求項２】
（Ａ）のラジウム鉱石含有粉体におけるラジウム鉱石粉砕物と、大理石粉砕物の混合割合は、混合生成されるラジウム鉱石含有粉体から発生する放射線レベルが５０μＳｖ／ｈ以下となるよう調整されるものである請求項１に記載のラドン放射体。
【請求項３】
請求項１において、（Ａ）ないし（Ｄ）の混合割合を、（Ｄ）の水の重量％を１５〜２５％を基準に、（Ａ）（Ｂ）（Ｃ）を８５〜７５％の範囲に調整し、さらに（Ａ）（Ｂ）（Ｃ）の各物質の混合比を下記の範囲に設定調整してなるラドン放射体。
（Ａ）：（Ｂ）：（Ｃ）＝２〜３：６〜５：２
【請求項４】
請求項１において、（Ａ）ないし（Ｄ）の物質を混合して液状の流動物を形成し、該流動物を型材に入れて乾燥させる際に、表面に多数の波形からなる凹凸条を形成して乾燥・硬化させ、波形からなる凹凸条を表面に備えた板状に成形してなるラドン放射体。
【請求項５】
区画形成される閉空間の内側面、あるいは天井部に請求項１ないし請求項４のいずれかに記載のラドン放射体を取り付けて区画体を形成し、該区画体の内底部あるいは側面底部に、閉空間より外部へと開口する開口部を形成し、この開口部をラドン放射体より発生する放射物の吹出口としてなるラドン放射装置。
【請求項６】
区画体の開口部の形成位置には、ラドン放射体より発生する放射物をエアとともに外部へ吹出すためのファンを配設してなる請求項５に記載のラドン放射装置。
【請求項７】
区画体の内部には水蒸気の発生装置が配設され、開口部より区画体の外部へ吹出されるラドン放射体より発生する放射物に、水蒸気を混和させることとした請求項５または請求項６に記載のラドン放射装置。
【請求項８】
区画形成される閉空間の内側面、あるいは天井部に請求項１ないし請求項４のいずれかに記載のラドン放射体を取り付けて、該閉空間内をラドン浴を行う入浴者が入るための入浴室とし、閉空間内の内底部には入浴者がラドン放射体より発生する放射物を座った状態あるいは横たわる状態で浴びるための台部を形成してなるラドン放射装置。
【請求項９】
閉空間の内部には、入浴者が浴びるラドン放射体より発生する放射物を閉空間内において、エアとともに上下に対流させるためのファンを配設してなる請求項８に記載のラドン放射装置。
【請求項１０】
閉空間の内部には水蒸気の発生装置が配設され、入浴者が浴びるラドン放射体より発生する放射物に水蒸気を混和させることとした請求項８または請求項９に記載のラドン放射装置。
【発明の詳細な説明】
【技術分野】
【０００１】
本発明は、例えばラドン浴を効果的に行うことを可能とするラドン放射体またはラドン放射装置に関する。
【背景技術】
【０００２】
ラドン浴としては、ラドンを含む放射性壊変生成物を含む天然温泉（岡山大学病院三朝医療センター）やラドンを含む放射性壊変生成物の放射線を空気中で浴びるいわゆる岩盤浴（秋田県の玉川温泉などの無水浴）が知られているが、最近ではこうしたラドン浴を都会においても利用可能とするための施設が提供されている。こうしたラドン浴施設では、ラドン放射源としての岩盤ボードを、床面やベッドの土台として施設したり（無水浴の場合）、水浴槽やミスト室の壁面に設置して、岩盤ボードから放射されるラドン放射線を入浴者に浴びさせるようにしていた。
【０００３】
こうして、ラドン放射線を浴びることで、人体の免疫機能向上、細胞の活性化、病気の回復力の向上が期待され、最近ではスポーツクラブやエステサロンにおいても、ラドン浴のための施設を設置するようにしている。
【０００４】
ところで従来こうしたラドン浴施設において設置されるラドン放射源としての岩盤ボードは、一般に下記特許文献１や特許文献２に示される方法にて製造される。
【先行技術文献】
【特許文献】
【０００５】
【特許文献１】特開２００８−１４２３２６号公報
【特許文献２】特許第４１４０９２５号公報
【０００６】
すなわち従来、岩盤ボードは、多孔質セラミック板からなる担体ボードを放射性ラジウム溶液内に浸漬し、これを乾燥後、焼結させることにより定着させて製造していた。こうすることで、溶液内に含まれるラジウムが多孔質からなる無数の気孔の内部に侵入して乾燥・焼結され、ラドンを空気中、あるいは浴槽中に放射する岩盤ボードが提供可能となる。
【０００７】
ただ、上記のようにしてセラミックからなる担体ボードを放射性ラジウム溶液に浸漬し、これを乾燥・焼結させて形成される岩盤ボードにあっては、ラジウム放射物としての粒状体が実際には多孔質からなる無数の気孔に浸入して乾燥・焼結するため、粒状物が内部に閉じこめられてラドンの放射量が極めて少ないという不具合があった。またボードの全体が焼結されて形成されるため、表面に硬質の焼結膜が形成され、この焼結膜の存在により、ラドンの放射が阻害され、その放射量が一定しないなどの不具合も発生していた。そこで出願人は、様々な試行錯誤と実験を繰り返し、ラドンの放射を安定的に行うことを可能とする担体の開発を行ってきたところである。
【発明の概要】
【発明が解決しようとする課題】
【０００８】
本発明は上記従来の不具合に着目してなされたものであり、安定的にラドンの放射を行うことを可能とし、さらに効率的なラドン浴を可能にしたラドン放射体またはラドン放射装置を提供することを目的としている。
【課題を解決するための手段】
【０００９】
上記目的を達成するため、本発明の請求項１は、下記（Ａ）ないし（Ｄ）の物質を混合して液状の流動物を形成し、該流動物を型材に入れて乾燥させ、板状に成形してなるラドン放射体。
（Ａ）ラジウム含有鉱石を粒径１０ないし８０ミクロンのパウダー状に粉砕したラジウム鉱石粉砕物と、大理石を粒径１００ないし２００ミクロンのパウダー状に粉砕した大理石粉砕物と、を混合したラジウム鉱石含有粉体
（Ｂ）炭酸カルシウムの粉体
（Ｃ）アクリル樹脂の粉体
（Ｄ）水
としたものである。
【００１０】
また本発明の請求項２は、（Ａ）のラジウム鉱石含有粉体におけるラジウム鉱石粉砕物と、大理石粉砕物の混合割合は、混合生成されるラジウム鉱石含有粉体から発生する放射線レベルが５０μＳｖ／ｈ以下となるよう調整されるものである請求項１に記載のラドン放射体としたものである。
【００１１】
また本発明の請求項３は、請求項１において、（Ａ）ないし（Ｄ）の混合割合を、（Ｄ）の水の重量％を１５〜２５％を基準に、（Ａ）（Ｂ）（Ｃ）を８５〜７５％の範囲に調整し、さらに（Ａ）（Ｂ）（Ｃ）の各物質の混合比を下記の範囲に設定調整してなるラドン放射体としたものである。
（Ａ）：（Ｂ）：（Ｃ）＝２〜３：６〜５：２
【００１２】
また本発明の請求項４は、請求項１において、（Ａ）ないし（Ｄ）の物質を混合して液状の流動物を形成し、該流動物を型材に入れて乾燥させる際に、表面に多数の波形からなる凹凸条を形成して乾燥・硬化させ、波形からなる凹凸条を表面に備えた板状に成形してなるラドン放射体としたものである。
【００１３】
また本発明の請求項５は、区画形成される閉空間の内側面、あるいは天井部に請求項１ないし請求項４のいずれかに記載のラドン放射体を取り付けて区画体を形成し、該区画体の内底部あるいは側面底部に、閉空間より外部へと開口する開口部を形成し、この開口部をラドン放射体より発生する放射物の吹出口としてなるラドン放射装置としたものである。
【００１４】
また本発明の請求項６は、区画体の開口部の形成位置には、ラドン放射体より発生する放射物をエアとともに外部へ吹出すためのファンを配設してなる請求項５に記載のラドン放射装置としたものである。
【００１５】
また本発明の請求項７は、区画体の内部には水蒸気の発生装置が配設され、開口部より区画体の外部へ吹出されるラドン放射体より発生する放射物に、水蒸気を混和させることとした請求項５または請求項６に記載のラドン放射装置としたものである。
【００１６】
また本発明の請求項８は、区画形成される閉空間の内側面、あるいは天井部に請求項１ないし請求項４のいずれかに記載のラドン放射体を取り付けて、該閉空間内をラドン浴を行う入浴者が入るための入浴室とし、閉空間内の内底部には入浴者がラドン放射体より発生する放射物を座った状態あるいは横たわる状態で浴びるための台部を形成してなるラドン放射装置としたものである。
【００１７】
また本発明の請求項９は、閉空間の内部には、入浴者が浴びるラドン放射体より発生する放射物を閉空間内において、エアとともに上下に対流させるためのファンを配設してなる請求項８に記載のラドン放射装置としたものである。
【００１８】
また本発明の請求項１０は、閉空間の内部には水蒸気の発生装置が配設され、入浴者が浴びるラドン放射体より発生する放射物に水蒸気を混和させることとした請求項８または請求項９に記載のラドン放射装置としたものである。
【発明の効果】
【００１９】
本発明の請求項１によれば、ラドンを放射するラジウム鉱石粉砕物が適度に混ざり、全体から安定的にラドンが放射される板状のラドン放射体が製造されることとなる。
【００２０】
また本発明の請求項２によれば、人体に無害な範囲、あるいは人体に有効な範囲でより効率的にラドンを放射するラドン放射体を提供することが可能となる。
【００２１】
また本発明の請求項３によれば、ラジウム鉱石含有粉体を含むラドン放射体の構成物質を混合割合を設定調整し、人体に無害な範囲、あるいは人体に有効な範囲でより効率的にラドンを放射するラドン放射体を提供することが可能となる。
【００２２】
又本発明の請求項４によれば、表面に凹凸条を形成することで効率的なラドンの放射を行うことが可能となり、人体に無害な範囲、あるいは人体に有効な範囲でより効率的にラドンを放射するラドン放射体を提供することが可能となる。
【００２３】
また本発明の請求項５によれば、ラドン放射体より発生する放射物を開口部としての吹出口から例えば入浴者に向けて放射させることが可能となる。
【００２４】
また本発明の請求項６によれば、ラドン放射体より発生する放射物を、開口部としての吹出口からエアとともに、例えば入浴者に向けて効率的に放射させることが可能となる。
【００２５】
また本発明の請求項７によれば、ラドン放射体より発生する放射物を、開口部としての吹出口から水蒸気を混和させる状態で、例えば入浴者に向けて効率的に放射させることが可能となる。
【００２６】
また本発明の請求項８によれば、台部に座った状態、あるいは台部に横たわる状態の入浴者に対し、入浴室内においてラドン放射体より発生する放射物を効率的に放射させることが可能となる。
【００２７】
また本発明の請求項９によれば、台部に座った状態、あるいは台部に横たわる状態の入浴者に対し、エアとともに入浴室内においてラドン放射体より発生する放射物を効率的に放射させることが可能となる。
【００２８】
また本発明の請求項１０によれば、台部に座った状態、あるいは台部に横たわる状態の入浴者に対し、水蒸気を混和させる状態で入浴室内においてラドン放射体より発生する放射物を効率的に放射させることが可能となる。
【図面の簡単な説明】
【００２９】
【図１】本発明の実施形態に係るラドン放射体の製造状態を示す斜視図である。
【図２】製造されるラドン放射体の斜視図である。
【図３】ラドン放射体におけるラジウム鉱石含有粉体のラジウム鉱石粉砕物と大理石粉砕物の混合状態を示す模式図である。
【図４】ラドン放射体を区画室の壁面に設置してラドンの放射状態をテストした状態を示す断面図である。
【図５】ラドン放射体を区画室の天井部に設置してラドンの放射状態をテストした状態を示す断面図である。
【図６】実施形態に係るラドン放射装置を備えたラドン浴室を示す断面図である。
【図７】他の実施形態に係り、入浴室内にラドン放射体を取り付けて構成するラドン放射装置を示す断面図である。
【発明を実施するための形態】
【００３０】
先ず実施形態に係るラドン放射体（請求項１ないし請求項４に対応）の製造プロセスを図１ないし図３を参照して説明する。一般に放射線物質含有鉱石としてのラジウム鉱石から、放射状態で発生するラドンは、電子より重いアルファ線（重粒子線）を２００個以上含んだ原子の集まりとされ、粒子（ヘリウム原子核）の大きさは、水素原子核（陽子）よりも大きく、重いものとされる。
【００３１】
またラドンは、発生源としての鉱石における大気との接触面積に比例し、その放射量が増大するものとされるが、透過率が極めて低いため（粒子が大きいため）、表面が木材ボードなどの遮へい物で覆われるとほとんど放射されない特徴を有し、人体に対しても皮膚をやっと透過する程度で身体内部までは透過されない特徴を有する。
【００３２】
本願の発明は、先ずこうしたラドンの発生メカニズムに着目し、全体から人体に害がない程度で、かつ安定的にラドンが放射される以下のラドン放射体の製造を行った。
【００３３】
ラドン放射体１は図２に示すように、全体長方形の板状に成形してなり、表面に多数の波形からなる凹凸条２を備えるようにして形成される。このラドン放射体１は、先ず下記（Ａ）ないし（Ｄ）の物質を混合して流動物を形成し、該流動物３を容器４から型材５に流し入れるようにして形成してなる。
（Ａ）ラジウム含有鉱石を粒径１０ないし８０ミクロンのパウダー状に粉砕したラジウム鉱石粉砕物と、大理石を粒径１００ないし２００ミクロンのパウダー状に粉砕した大理石粉砕物と、を混合したラジウム鉱石含有粉体
（Ｂ）炭酸カルシウムの粉体
（Ｃ）アクリル樹脂の粉体
（Ｄ）水
【００３４】
本願の発明者が実験したところでは、一般にラジウム含有鉱石は、その粉砕度を上げ、微粒子化すればするほどその分空気に対する接触表面積が増大し、ラドンの放射量が増大する傾向があり、また製造されるラジウム鉱石含有粉体において天然鉱石としてのラジウム含有鉱石は、採取地等で粉体にした場合のラドン放射量に大きな差異があることが確認された。そこで本願の発明者は、上記（Ａ）のラジウム鉱石含有粉体を製造するに際して、希薄材としての大理石粉砕物とラドン放射体としてのラジウム鉱石粉砕物の粉砕割合を調整し、ラジウム鉱石粉砕物の粒径を１０ないし８０ミクロンと小さくし、それに比して大理石粉砕物の粒径を１００ないし２００ミクロンと大きくし、これによりパウダー状のラジウム鉱石粉砕物と大理石粉砕物とを混合生成してなるラジウム鉱石含有粉体において、ラドンの放射量が安定的で、かつ持続性を保持することを確認するに至った。すなわち、このようにして（Ａ）のラジウム鉱石含有粉体を製造することで、図３に示すラジウム鉱石粉砕物の粒子６から放射されるラドンが、矢印のように大理石の粉砕物の粒子７によって放射が抑制され、適度な状態で安定量のラドンの放射が持続するものと考えられる。
【００３５】
ここでパウダー状のラジウム鉱石粉砕物と大理石粉砕物の混合割合については、任意に調整することが可能とされ、混合生成されるラジウム鉱石含有粉体から発生する放射線レベルが、人体に対し有害でないとされる５０μｓｖ／ｈ以下に調整されることが望ましい。
【００３６】
上記（Ａ）ないし（Ｄ）の物質を混合して形成される液状の流動物４は、（Ｄ）の水の重量％を１５〜２０％とした場合を基準に（Ａ）、（Ｂ）、（Ｃ）の割合を８５〜７５重量％の範囲に調整し、さらに（Ａ）、（Ｂ）、（Ｃ）の各物質の混合比の割合を下記の範囲に設定調整し、製造してなる。
（Ａ）：（Ｂ）：（Ｃ）＝２〜３：６〜５：２
【００３７】
このようにして（Ａ）ないし（Ｄ）の物質を混合して液状となった流動物２は、容器４の中で電動ハンドミキサー等を用いて均等に混練され、図１に示すように平板状の型材５の中に流し入れるようにする。そして、しばらくの間水分を蒸発させて硬化させた後、凹凸状の櫛形部材８で容器４に入った流動物２の表面を掻くようにして矢印方向に往復動させ、さらに自然乾燥させる。
【００３８】
こうして水分がほぼ９５％以上蒸発し、乾燥・硬化させて型材５から取り出すと、図２に示すように波形からなる凹凸条２を表面に備えた全体長方形の板状からなるラドン放射体１が成形される。
【００３９】
こうして表面に凹凸条２を備えたラドン放射体１は、表面を平板状として形成されて放射体と比較し、発生するラドンの放射量を計測した場合、凹凸条２の表面から放射される放射量の方が平板状のものより３倍近く高い値を示すことが判明した。したがって、こうした表面に凹凸条２を備えるラドン放射体１を製造する場合において、成形後において凹凸条２を備えた表面から人体に対して発生される放射線レベルが５０μｓｖ／ｈ以下となるよう、予め上記（Ａ）のラジウム鉱石含有粉体におけるパウダー状のラジウム鉱石粉砕物と大理石粉砕物の混合割合を調整することが望ましい。
【００４０】
本願の発明者は、こうして形成されたラドン放射体１を、高さＨが１ｍ、奥行きＷ並びに幅がそれぞれ６０ｃｍの全体直方体からなる木製の区画室９（図４参照）の先ず側壁面１０に貼るようにして取り付け、ラドンを含む放射線の放射状態を図４に示すようにして測定した。測定は、表面に凹凸条２を備えるよう側壁面１０に取り付けられたラドン放射体１から長さＬ１で示す３００ｍｍ離した位置で、かつ天井部１１から長さＬ２で示す３５０ｍｍ下方の位置に吊り下げられた放射線測定器Ａ１と、同じく区画室９の床部１２上でラドン放射体１から長さＬ１で示す３００ｍｍ離した位置に載置された放射線測定器Ａ２の放射線の値（量）を７２時間計測することにより行った。
【００４１】
その結果、測定器Ａ１では７２時間で１２０Ｂｑ／ｍ３のラドン放射量（数１０回測定した平均値）の測定が記録されたのに対し、測定器Ａ２では７２時間で３２００Ｂｑ／ｍ３のラドン放射量（数１０回測定した平均値）の測定が記録された。
【００４２】
また本願の発明者は、同じサイズで形成された区画室９において、図５で示すように表面に凹凸条２を備えるよう天井部１１にラドン放射体１を貼るように取り付け、天井部１１から長さＬ２に示す３５０ｍｍ下方の位置に吊り下げられた放射線測定器Ａ１において放射線の値（量）を７２時間計測する測定についても併せて実施した。
【００４３】
その結果、測定器Ａ１では７２時間で２７００Ｂｑ／ｍ３のラドン放射量（数１０回測定した平均値）の測定が記録された。
【００４４】
こうした区画室９のように区画形成される閉空間の側壁面や天井部にラドン放射体１を取り付けた場合、上記図４や図５に示す設置状態の実験から、本願の発明者は、放射されるラドンが恐らく大気よりも重いため、下方に流下する性質があることを確認するに至った。すなわち、図２に示すようにして形成された板状のラドン放射体１を、図４に示すように直立する側壁面１０に設置し、取り付けた場合、放射されるラドンは矢印Ｂに示すように側壁面１０より放射されてすぐに下方に流下する性質を有することを確認した。
【００４５】
一方、ラドン放射体１を、図５に示すように天井部１１に設置し、取り付けた場合、放射されるラドンは、矢印Ｃに示すように天井部１１より放射されてほぼ下方に流下する性質を有することを確認するに至った。
【００４６】
本願の発明者は、こうした実験結果から従来、床面などに上記特許文献１や２で示すセラミックで焼結したラドン放射板を施設したラドン浴場の構成が、極めて不効率であることを見出し、上記のようにして形成されたラドン放射体１を用い、効率的なラドン浴を可能としたラドン放射装置を下記のようにさらに発明するに至った。
【００４７】
以下、図６を参照して、先ず実施形態に係るラドン放射装置（請求項５ないし請求項７に対応）の構成を説明する。
【００４８】
図６に示すラドン放射装置１５は、ラドン浴室１６の上方位置に備えられる。この放射装置１５は、ラドン浴室１６の上方位置に隣接する状態で区画室１７（区画体）を備えてなり、該区画室１７は木製板材を用いて形成された立方体形状のものとされる。この閉空間からなる区画室１７の内壁のうち、底部１８を除く天井部１９と側壁部２０（内側面）には、上記のように形成されたラドン放射体１が凹凸条２を表面にし、区画室１７に臨むようにして取り付けられる。取り付けは、天井部１９と側壁部２０に複数枚のラドン放射体１を貼り付けるようにして行われ、こうして複数枚のラドン放射体１が取り付けられた区画室１７には放射体１からラドンを含む放射物が放射されることとなり、放射されるラドンは区画室１７において矢印ＢおよびＣに示すように流下する状態となる。
【００４９】
区画室１７の側壁部２０（側面底部）のうち、ラドン浴室１６側には、閉空間としての区画室１７からその外部であるラドン浴室１６へと開口する開口部としての吹出口２１が形成される。この吹出口２１は、区画室１７内で発生し、流下するラドンを含む放射物を、ラドン浴室１６に向けて吹き出すための開口部とされ、該吹出口２１には区画室１７内で発生したラドンを含む放射物を、エアとともにラドン浴室１６へと吹き出すための電動ファン２２が備えられる。
【００５０】
さらに区画室１７の内底部には、ミスト状の水蒸気を発生する水蒸気発生装置２３が配設される。すなわち、この水蒸気発生装置２３より発生するミスト状の水蒸気は、ラドン放射体１より発生するラドンを含む放射物に混和され、吹出口２１よりラドン浴室１６へと吹き出されることとなる。
【００５１】
ラドン浴室１６には、この吹出口２１よりも低い位置において、入浴者２４が横になるためのベッド２５や、腰掛けるための椅子２６が備えられる。すなわち、ラドン浴室１６と閉空間からなる区画室１７を備えたラドン放射装置１５の位置関係は、ラドン放射体１から発生するラドンが下方に流下するという性質に鑑み、吹出口２１よりも入浴者２４がラドンを浴びる部分を下方に位置させるようにしている。しかもラドン放射装置１５において、開口部としての吹出口２１も区画室１７における側面底部位置に形成し、区画室１７で発生し、流下するラドンを、効率よくラドン浴室１６における入浴者２４に向けて吹き出すことを可能にしている。なお、このラドン放射装置１５において、ラドン浴室１６に臨む開口部としての吹出口２１を、区画室１７における側面底部位置に形成しているが、区画室１７の内底部１８にこうした開口部を形成することとしてもよい。
【００５２】
さらに本願の発明者は、上記のようにして形成されたラドン放射体１を用い、図７に示すように効率的なラドン浴を行うことを可能としたラドン放射装置を発明するに至った。
【００５３】
図７に示すラドン放射装置２７（請求項２８ないし請求項１０に対応）は、区画形成される全体直方体形状の函形からなる木製の区画室２８を備えることとし、該区画室２８は入浴者２４がラドン浴を行うための入浴室とされる。放射装置２７には、入浴者２４が区画室２８に出入りするためのドア２９が形成される。このドア２９を閉めることで閉空間とされる区画室２８の内壁のうち、側壁部３０（内側面）と天井部３１には、上記のようにして形成されたラドン放射体１が、凹凸条２を表面にし、区画室２８内を臨むようにして取り付けられる。取り付けは、側壁部３０と天井部３１に複数枚のラドン放射体１を貼り付けるようにして行われ、特に側壁部３０においては入浴者２４よりも上方の位置に貼り付けるようにしている。こうして複数枚のラドン放射体１が取り付けられた区画室２８には放射体１からラドンを含む放射物が放射されることとなり、放射されるラドンは区画室２８において矢印ＢおよびＣに示すように流下する状態となる。
【００５４】
閉空間としての区画室２８の内底部３２には、入浴者２４がラドン放射体１より発生し、流下するラドンを含む放射物を、座った状態で浴びるための椅子３３（台部）が形成される。
【００５５】
区画室２８の天井部３１には、区画室２８内において入浴者２４が浴びるラドンを含む放射物を、エアとともに上下に対流させるための電動ファン３４が配設される。
【００５６】
さらに区画室２８の内底部３２には、ミスト状の水蒸気を発生する水蒸気発生装置３５が配設される。すなわち、この水蒸気発生装置３５より発生するミスト状の水蒸気は、ラドン放射体１より発生するラドンを含む放射物に混和され、入浴者２４はこうして区画室２８で発生し、流下あるいは対流循環するラドンを含む放射物を、水蒸気とともに効率的に浴びることが可能となる。
【００５７】
なお、このラドン放射装置２７においては、区画室２８の内底部３２に、台部としての椅子３３を形成するようにしているが、こうした椅子３３に代って入浴者２４が横たわる状態でラドンを含む放射物を浴びるベッド状の台部を形成するようにしてもよい。
【産業上の利用可能性】
【００５８】
以上のように本発明によれば、ラドンを効率的に放射させるラドン放射体が製造可能になるとともに、こうして製造されるラドン放射体を用い、入浴者がラドンを効率的に浴びることができるラドン放射装置の提供が可能となる。
【符号の説明】
【００５９】
１                ラドン放射体
２                凹凸条
３                流動物
４                容器
５                型
６                ラジウム鉱石粉砕物の粒子
７                大理石粉砕物の粒子
８                櫛形部材
９、１７、２８    区画室
１０              側壁面（内側面）
１１、１９        天井部
１２              床部
１５、２７        ラドン放射装置
１６              ラドン浴室
１８、３２        底部
２０、３０        側壁部（内側面）
２１              吹出口（開口部）
２２、３４        電動ファン
２３、３５        水蒸気発生装置
２４              入浴者
２５              ベッド
２６、３３        椅子
２９              ドア
Ａ１、Ａ２        放射線測定器
【図１】
2010259623.tif 000003
【図２】
2010259623.tif 000004
【図３】
2010259623.tif 000005
【図４】
2010259623.tif 000006
【図５】
2010259623.tif 000007
【図６】
2010259623.tif 000008
【図７】
2010259623.tif 000009